(57)【要約】【課題】スーツケースを床面に載置するための台座が、スーツケース自体をキャスタによって移動させるときのスーツケースの側部に位置するとき、この台座によって小荷物袋の引っ掛けてスーツケースと共に簡単に持ち運ぶことができるようにする。【解決手段】底部の四隅にキャスタ８、上部に取っ手２及び上部把持部３ｂ、一方の側面中央に側部把持部、他方の側面の四隅に台座１１を備え、底部のキャスタ８によって床面に載置して取っ手２にて移動可能とし、台座１１を床面に載置することで側部把持部が上側となる横向き姿勢にて立てるものとしたスーツケース１を構成する。このスーツケース１における上部把持部２側の近傍に位置する少なくとも１つの台座１１に小荷物袋Ｐ引っ掛け用のフック機能部１２を設け、フック機能部１２は、台形錐状に形成した台座１１の上部把持部２側方向の上側面に略Ｕ字形凹状に抉り形成して成る。【選択図】図１
0003181838.tif 000002
【実用新案登録請求の範囲】
【請求項１】
底部に設けたキャスタによって床面上を移動可能で、側部に設けた台座によって床面上に載置可能にしたスーツケースにおける台座であって、この台座には、小荷物袋引っ掛け用のフック機能部を設けたことを特徴とするスーツケース用台座。
【請求項２】
底部の四隅にキャスタ、上部に取っ手及び上部把持部、一方の側面中央に側部把持部、他方の側面の四隅に台座を備え、底部のキャスタを床面に載置して移動可能とし、台座を床面に載置することで横向き姿勢に載置できるものとしたスーツケースであって、上部把持部側に位置する少なくとも１つの台座に小荷物袋引っ掛け用のフック機能部を設けたことを特徴とするスーツケース。
【請求項３】
フック機能部は、台形錐状に形成された台座の取っ手側方向上側面に略Ｕ字形凹状に抉り形成されて成る請求項２記載のスーツケース。
【請求項４】
底部の四隅にキャスタ、上部に取っ手及び上部把持部、一方の側面中央に側部把持部、他方の側面の四隅に台座を備え、底部のキャスタを床面に載置して片手で持った取っ手によって移動可能とし、台座を床面に載置することで一方の側面中央の把持部が上側となる横向き姿勢にて立たせるものとしたスーツケースであって、上部把持部側の近傍に位置する少なくとも１つの台座に小荷物袋引っ掛け用のフック機能部を設け、フック機能部は、台形錐状に形成された台座の上部把持部側方向の上側面に略Ｕ字形凹状に抉り形成されて成ることを特徴とするスーツケース。
【考案の詳細な説明】
【技術分野】
【０００１】
本考案は、例えば国内線航空便等を利用するとき等の各種の旅行に際し、様々な手小荷物を収納するための旅行用収納具として使用されるキャスタ付きのスーツケースであり、さらに詳述すれば小荷物袋を引き下げて持ち運ぶことができるフック機能を備えたスーツケース用台座及びこれを使用したスーツケースに関するものである。
【背景技術】
【０００２】
近時、国内線航空機の機内ではそのサービスとしてコーヒー、ウーロン茶等の飲料水は提供されても、一般的には機内食が出されないため、例えば食事時間に搭乗する場合には、その食事時間に対応させてチェックインの前に空港のコンビニエンスストア等で弁当等を購入し、いわゆるレジ袋等のビニール袋に入れて機内に持ち込んでいるのが現状である。また、旅行などで各種手荷物を持ち運ぶ場合には、底部にキャスタを備え、上部に伸縮自在で引き出し可能になっている取っ手を備えたスーツケースを利用することが多く、この場合、空港などでも片方の手でスーツケースの取っ手を持ち、もう片方の手で弁当等を入れたビニール袋を持つことになって両手が塞がった状態になると、搭乗時のチェックインに際してのチケットを取り出したり、また収容したりする等のそれらの取り扱いは面倒となる。
【０００３】
これを解消すべく、近年では、スーツケースの外装部分に小荷物を収納するためのポケット、収納部等を設ける等の様々な工夫がなされており、例えば、特許文献１に開示されているように、スーツケースを構成する箱体と蓋体との間にファスナーの開閉操作によって伸縮自在とした襠部を設け、この襠部に小荷物の収納部を設けて成るスーツケースが提案されている。
【０００４】
また、特許文献２に開示されているように、スーツケースの外装シェルに桶形凹所を設け、この桶形凹所内に基部プレートを介してポケットが固定されて成る取り付けポケットを備えるスーツケースが提案されている。
【０００５】
また、特許文献３に開示されているように、スーツケース等のカバンの外装ケースの外面にフック部を設け、このフック部に対応してゴムネットの周囲に形成した係合ループをフック部に引っ掛けることで小荷物の収納部が形成されるカバン用外装具およびカバンが提案されている。
【０００６】
また、特許文献４に開示されているように、スーツケースの正面に複数の係止孔を形成し、この係止孔に対応すべく、小荷物を収納するためのリュックの四隅から突出したラグの背面に複数の止めピンを備え、この止めピンを係止孔に係合させることでスーツケースにリュックが装着される旅行用収納具が提案されている。
【先行技術文献】
【特許文献】
【０００７】
【特許文献１】実用新案登録第３１７３９０６号公報
【特許文献２】特表２００６−５２５８２５号公報
【特許文献３】実用新案登録第３０８１１２６号公報
【特許文献４】実用新案登録第３１１７５４４号公報
【考案の概要】
【考案が解決しようとする課題】
【０００８】
上記したようなこれらの特許文献においては、スーツケースの外装部分に対し、襠部を介して収納部を設けたり、ポケットやリュックを着脱可能に取り付けたり等しているため、これら収納部、ポケット、リュックに対する小荷物の出し入れは非常に面倒である。特に、小荷物袋として例えば弁当等を入れたビニール袋をスーツケースの外装部分に設けたポケットやリュックに収納してしまうと、機内での食事に際しこれ等のポケットやリュックを開放して取り出さなければならないから非常に不便であり、現実的にみて実用性に乏しい。また、キャリー式のスーツケースの取っ手と共に持つこととしたり、スーツケースの取っ手にかけたりしても、ビニール袋が傾いでしまったり、落ちてしまったりしてその取り扱いは不便である。
【０００９】
そこで、本考案は叙上のような従来存した諸事情に鑑み創案されたもので、主としてキャリー式のスーツケースの外装部分に対し、例えば弁当・ペットボトル等を収納したビニール袋等の小荷物袋を係止して、そのまま簡単に持ち運ぶことができ、しかもその小荷物袋等の引っ掛けおよび取り外しは簡単、容易である等のキャリー式のスーツケースの利便性を一層増大できるようにしたスーツケース用台座及びこれを使用したスーツケースを提供することを目的とする。
【課題を解決するための手段】
【００１０】
上述した課題を解決するために、本考案に係るスーツケース用台座にあっては、底部に設けたキャスタ８によって床面上を移動可能で、側部に設けた台座１１によって床面上に載置可能にしたスーツケース１における台座１１であって、この台座１１には、小荷物袋Ｐ引っ掛け用のフック機能部１２を設けたことを特徴とする。
また、本考案に係るスーツケースにあっては、底部の四隅にキャスタ８、上部に取っ手２及び上部把持部３ｂ、一方の側面中央に側部把持部３ａ、他方の側面の四隅に台座１１を備え、底部のキャスタ８を床面に載置して移動可能とし、台座１１を床面に載置することで横向き姿勢に載置できるものとしたスーツケース１であって、上部把持部３ｂ側に位置する少なくとも１つの台座１１に小荷物袋Ｐ引っ掛け用のフック機能部１２を設けたことを特徴とする。
また、フック機能部１２は、台形錐状に形成された台座１１の上部把持部２側方向の上側面に略Ｕ字形凹状に抉り形成されて成るものとできる。
【００１１】
以上のように構成された本考案に係るスーツケース用台座１１及びこれを使用したスーツケース１にあって、フック機能部１２は、台座１１の上部把持部３ｂ側方向の上側面に略Ｕ字形凹状に抉り形成されて成るから、スーツケース１の例えば伸縮自在な取っ手２を持ち、底部のキャスタ８を床面に載置して移動させる際に、フック機能部１２に引っ掛けられた小荷物袋Ｐを脱落させることなく吊り下げ姿勢で保持させる。
【考案の効果】
【００１２】
このように構成された本考案によれば、スーツケース１の台座１１には、キャスタ８にてスーツケース１自体を床面上で移動させるとき、例えば弁当・ペットボトルその他を収納したビニール袋等の小荷物袋Ｐを係止でき、スーツケース１上に載せたり、手に持つ必要がないから、移動・運搬等をスムーズに行うことができる。また、小荷物袋Ｐをスーツケース１の台座１１に引っ掛けるだけであるから、取り扱いも簡単であり、小荷物袋Ｐに対する各種物品の出し入れ、更には取り外しも容易である。
【００１３】
すなわち、これは本考案が、スーツケース１の台座１１自体に、あるいは上部に設けた上部把持部３ｂ側に位置する少なくとも１つの台座１１に小荷物袋Ｐ引っ掛け用のフック機能部１２を設けたからであり、これにより、例えばチェックインの前に空港のコンビニエンスストア等で購入した例えば弁当・ペットボトル等をビニール袋に入れられて成る小荷物袋Ｐを機内に持ち込むに際し、台座１１のフック機能部１２に小荷物袋Ｐを引っ掛けておくだけで、スーツケース１と共に持ち運ぶことができる。しかも、スーツケース１を持っていない側の手は塞がった状態とならずにフリーとなっているから、例えばチェックインの際のチケットその他を容易に取り扱うことができる利点もある。
【００１４】
また、フック機能部１２は、台形錐状に形成された台座１１の上部把持部３ｂ側方向の上側面に略Ｕ字形凹状に抉り形成されて成るので、例えば片手でスーツケース１上部の取っ手２を持ち、底部のキャスタ８で移動させる際に、フック機能部１２に引っ掛けられた小荷物袋Ｐを脱落させずに確実に吊り下げ保持しておくことができる。
【００１５】
尚、上記の課題を解決するための手段、考案の効果の項それぞれにおいて付記した符号は、図面中に記載した構成各部を示す部分との参照を容易にするために付したもので、図面中の符号によって示された構造・形状に本考案が限定されるものではない。
【図面の簡単な説明】
【００１６】
【図１】本考案の実施の形態におけるスーツケースの斜視図である。
【図２】台座を床面に載置し、側部把持部が上側となる横向き姿勢にて立たせた状態のスーツケースの側面図である。
【図３】同じく立たせた状態のスーツケースの側面図である。
【図４】台座の取り付け構造の一例を示し、（ａ）は台座取り付け前の分解断面図、（ｂ）は台座取り付け後の断面図である。
【考案を実施するための形態】
【００１７】
以下、図面を参照して本考案の実施の形態を詳細に説明すると、図において示される符号１は、例えば国内線航空便等を利用するなどの旅行時に、旅行用収納具として使用される例えば強化合成樹脂製、あるいは金属製のシェル構造に形成されたスーツケースであり、底部に設けたキャスタ８によって床面上で移動可能なものとしてある。図示例にあってのスーツケース１自体は、保形性を有するシェル構造に形成されたものであるも、金属製に限らず、例えばＡＢＳ樹脂その他のプラスチック製の硬質材料、または皮革、合成繊維材料によって形成されるものであっても良いものである。
【００１８】
ここでスーツケース１の構成例について説明すると、このスーツケース１は、図１乃至図３に示すように、手で握持することでスーツケース１自体を牽引移動できるように引出し自在な取っ手２が背面上側に伸縮自在に備えられている。また、スーツケース１自体を持つために、例えばキャスタ８を底部としたときの上部のほぼ中央に、握る部分である上部把持部３ｂが、また、側部のほぼ中央に同様に構成した側部把持部３ａが揺動、起伏あるいは引出自在にして設けられている。尚、スーツケース１自体は、これらの上部把持部３ｂ、側部把持部３ａが設けられたボックス状の第１シェル１ａと、他方の側面における上下方向にわたって配された帯状のヒンジ接続部４を介して第１シェル１ａに開閉自在に連結される第２シェル１ｂとから成る。
【００１９】
図３に示すように、第１シェル１ａと第２シェル１ｂとの開口縁部同士は例えばファスナ５によって開閉されるようにしてある。また、スーツケース１の一方の側面にはファスナ５の一対のスライダ６ａ，６ｂのロック部７が配備されており、両シェル１ａ，１ｂは当該ロック部７による両スライダ６ａ，６ｂのロックを解除した後、当該スライダ６ａ，６ｂを互いに相反する方向へ移動させてファスナ５を開放することによりスーツケース１を開くようにしている。
【００２０】
スーツケース１の底面には、移動用のキャスタ８が四隅に、すなわち第１シェル１ａ、第２シェル１ｂの底部それぞれに２個ずつ取り付けられている。図１では、スーツケース１の上面に装備された取っ手２を使用する場合において、スーツケース１がキャスタ８によって床面上で移動可能にして床面に置かれた正立姿勢を示してある。
【００２１】
スーツケース１の他方の側面におけるヒンジ接続部４の左右それぞれ、すなわち第１シェル１ａ、第２シェル１ｂそれぞれの他方の側面における上下部には台形錐状に形成された台座１１が装備されている。図２では、これら計４箇所の台座１１を床面に載置することにより、スーツケース１の一方の側面に装備された側部把持部３ａが上面側となる横向き姿勢となって立たせられた状態を示してある。
【００２２】
図１および図４に示すように、スーツケース１の他方の側面において、上部把持部３ｂ側に位置する上側の左右の台座１１すなわち第１シェル１ａ、第２シェル１ｂそれぞれの上側に位置する台座１１には、小荷物袋Ｐを引っ掛けるための凹状のフック機能部１２が設けられている。
【００２３】
すなわち、フック機能部１２は、台形錐状に形成された台座１１の上部把持部３ｂ側に向いた上側面が略Ｕ字形凹状に抉られることで形成されており、これにより、片手でスーツケース１の取っ手２を持ち、底部のキャスタ８を床面に載置して移動させている間中において、フック機能部１２に引っ掛けられた小荷物袋Ｐの吊り下げ姿勢が保持されるようにしてある。
【００２４】
また、この台座１１は、図４に示すように、台座１１の下面側に、２つのネジ孔１３ａ，１３ｂが形成されており、これに対応してスーツケース１を構成する例えば第１シェル１ａにおけるシェル壁１０には２つの貫通孔１４ａ，１４ｂが開穿形成される。台座１１をスーツケース１の他方の側面に取り付ける場合には、台座１１の各ネジ孔１３ａ，１３ｂをシェル壁１０の各貫通孔１４ａ，１４ｂに合致させ、シェル壁１０の内側から各貫通孔１４ａ，１４ｂに取付ネジ１５を貫挿して台座１１のネジ孔１３ａ，１３ｂにねじ込むことで固定される。ネジ止め後のネジ頭部はシェル壁１０の内側面に張設した化粧布１６で隠蔽されており、スーツケース１が開けられても外部からは見えない状態となる。なお、取付ネジ１５は、ビスタイプやボルトタイプのいずれであっても良い。
【００２５】
尚、フック機能部１２は、上部把持部３ｂ側に位置する上側の台座１１に形成されるものとして説明されているが、必要があれば下側の台座１１にも形成することができ、例えばスーツケース１同士を紐その他の連繋部材によって連繋し、複数のスーツケース１を同時に移動可能にさせるようにすることもできる。
【００２６】
次に、以上のように構成された形態についての使用の一例について説明すると、例えば国内線航空機を利用する場合において、チェックインの前に空港のコンビニエンスストア等で弁当・ペットボトル等を購入することでビニール袋等に入れられた状態の小荷物袋Ｐを携帯するとき、これを台座１１のフック機能部１２に引っ掛けておけば良く、スーツケース１の取っ手２を引き出して握持し、底部のキャスタ８で移動する（図１参照）。このとき、もう片方の手は塞がった状態とならないため、例えば空港におけるチェックインの際のチケット等の取り扱いが容易となる。
【００２７】
尚、フック機能部１２を備えた台座１１は、国内便の空港に限らず国際便であっても空港内でスーツケース１を移動する際の小荷物袋Ｐの持参・携帯等に利用でき、また空港のみならず、駅、バスターミナルその他の旅行時におけるコンビニエンスストアによるビニール袋の係止のみならず、各種の手小荷物、買物袋その他の小荷物袋Ｐを係止するのに役立つばかりでなく、ビジネス用のバッグにおけるフック機能を有する台座１１としての利用も可能である。
【符号の説明】
【００２８】
Ｐ…小荷物袋
１…スーツケース                        １ａ…第１シェル
１ｂ…第２シェル                        ２…取っ手
３ａ…側部把持部                        ３ｂ…上部把持部
４…ヒンジ接続部                        ５…ファスナ
６ａ，６ｂ…スライダ                    ７…ロック部
８…キャスタ                            １０…シェル壁
１１…台座                              １２…フック機能部
１３ａ，１３ｂ…ネジ孔                  １４ａ，１４ｂ…貫通孔
１５…取付ネジ                          １６…化粧布
【図１】
0003181838.tif 000003
【図２】
0003181838.tif 000004
【図３】
0003181838.tif 000005
【図４】
0003181838.tif 000006